(57)【要約】【課題】無効としたＲＦＩＤ機能を正当な権限者のみにより復活することができるＲＦＩＤタグ及びＲＦＩＤタグシステムの提供。【解決手段】不揮発性の書き換え不能な暗証コードと書き換え可能又は１回だけ書き込み可能な動作のオン又はオフを設定する動作制御フラグとを記憶する記憶手段と、ＲＦＩＤタグのＩＤ識別コード要求を指示する誰何コマンドを受信したとき、該記憶手段を参照して動作制御フラグがＯＮであるか否かを確認し、該フラグがＯＮである場合には、自ＩＤを送信し、該フラグがＯＦＦである場合には該フラグがＯＦＦである旨を送信するアンテナとの交信制御を行うタグコントローラとを備え、外部から動作オン又は動作オフコマンドと暗証コードとを受信した暗証コードと記憶手段に記憶した暗証コードとが一致したとき、前記記憶手段に記憶した動作制御フラグのオン又はオフを書き換えるもの。【選択図】図１
2008021321.tif 000002
【特許請求の範囲】
【請求項１】
所定範囲の信号送受信距離との交信が可能なＲＦＩＤタグであって、実質的に不揮発性の書き換え不能な暗証コードと書き換え可能か、または複数の１回だけ書き込み可能な動作のオン又はオフを設定する動作制御フラグとを記憶する記憶手段と、該記憶手段を参照してアンテナとの交信を制御するタグコントローラとを備え、該タグコントローラが、外部から動作オン又は動作オフコマンドと暗証コードとを受信し、前記記憶手段を参照して受信した暗証コードと記憶手段に記憶した暗証コードとが一致したとき、前記記憶手段に記憶した動作制御フラグのオン又はオフを書き換えることを特徴とするＲＦＩＤタグ。
【請求項２】
前記記憶手段に記憶した暗証コードを複数とし、該複数の暗証コードの桁数が異なることを特徴とする請求項１記載のＲＦＩＤタグ。
【請求項３】
前記タグコントローラは、動作の状態確認を行うコマンドを受信したとき、前記記憶手段の動作制御フラグを参照し、動作オン又はオフの状態であることを外部に送信することを特徴とする請求項１又は２記載のＲＦＩＤタグ。
【請求項４】
所定の信号送受信距離範囲内で交信が可能且つ不揮発性の書き換え不能な暗証コードと書き換え可能な動作のオン又はオフを設定する動作制御フラグとを記憶する記憶手段を含むＲＦＩＤタグと、該ＲＦＩＤタグを制御する制御システムとを備えるＲＦＩＤタグシステムであって、
複数のＲＦＩＤタグの識別コードに対応した暗証コードを格納するデータベースを備え、前記制御システムが、前記ＲＦＩＤタグの識別コードをキーとしてデータベースを参照し、前記識別コードに対応した暗証コードを引き当て、前記識別コードと暗証コードを用いてＲＦＩＤタグの動作制御フラグを書き換えるコマンドを送信することを特徴とするＲＦＩＤタグシステム。
【請求項５】
前記ＲＦＩＤタグが、動作制御フラグをオン状態に書き換えるコマンドを受信し、前記記憶手段に格納した識別ＩＤと暗証コードと過去に動作をオフに設定したＲＦＩＤタグの識別ＩＤと暗証コードとが一致するかを判定し、一致したとき前記動作制御フラグをオン状態に書き換えることを特徴とする請求項４記載のＲＦＩＤタグシステム。
【請求項６】
前記ＲＦＩＤタグが、動作制御フラグをオン状態に書き換えるオンコマンド及び暗証コードとを受信したとき、予め指定した時間が経過してから前記記憶手段に格納した識別ＩＤと暗証コードと過去に動作をオフに設定したＲＦＩＤタグの識別ＩＤと暗証コードとが一致するか否かを判定するオンコマンド処理を実行することを特徴とする前記請求項５記載のＲＦＩＤタグシステム。
【発明の詳細な説明】
【技術分野】
【０００１】
本発明は、任意に動作を制御することができるＲＦＩＤタグ及び該ＲＦＩＤタグを用いたＲＦＩＤタグシステムに関する。
【背景技術】
【０００２】
一般にＲＦＩＤ（Ｒａｄｉｏ  Ｆｒｅｑｕｅｎｃｙ  Ｉｄｅｎｔｉｆｉｃａｔｉｏｎ  Ｓｙｓｔｅｍ）タグとは、電磁波により非接触で物体を識別するために用いられるものであって、自身の識別コードなどの情報が記録されており、電波を使って管理システムと情報を送受信する能力をもつ。このＲＦＩＤタグは、従来のバーコードに代わる商品識別・管理技術として研究が進められてきており、例えば商品に微小なＲＦＩＤタグを貼り付け又は内蔵させることにより、商品の流通経路をトレースするトレース機能が構想されている。
【０００３】
このＲＦＩＤタグの用途のひとつとして、店舗等におけるリアルタイムの在庫監視がある。従来技術による在庫監視は、一般には送受信距離の長い（数百ミリメートル以上）タイプのタグを用い、保管棚または保管スペース全体を対象に交信を行い、該当エリアに存在するＲＦＩＤタグが貼り付けられた管理対象商品の存在を一括して確認する方式が提案されている。
【０００４】
このＲＦＩＤタグは、消費者向けの商品に添付された場合、トレース機能はプライバシー侵害の可能性が有るという問題があり、このために個人情報を守る観点から、エンドユーザに商品が渡った時点でＲＦＩＤの動作を停止させる機能が実用化されている。
【特許文献１】実開平７−２４１６６号公報
【発明の開示】
【発明が解決しようとする課題】
【０００５】
前記プライバシーの保護を目的として前記ＲＦＩＤの動作を停止させるために二度と機能しなくなる無効化スイッチを組み込んだ従来技術は、無効化後のトレースが不可能となり、ＲＦＩＤタグのライフサイクルに渡るトレースが可能という長所を生かせず、例えば、無効化後に生じた商品の不具合を製造元が解析しようとしても、ＲＦＩＤ機能が無効化されているために、ＩＤ情報すら得ることができなくなると言う不具合があった。
【０００６】
本発明の目的は、前述の従来技術による不具合を除去することであり、安価なＲＦＩＤタグを用い、一旦無効としたＲＦＩＤ機能を正当な権限者のみにより復活することができるＲＦＩＤタグシステムに有効なＲＦＩＤタグを提供することである。
【課題を解決するための手段】
【０００７】
前記目的を達成するため本発明は、所定の信号送受信距離範囲内で交信が可能なＲＦＩＤタグであって、不揮発性の書き換え不能な暗証コードと書き換え可能又は１回だけ書き込み可能な動作のオン又はオフを設定する動作制御フラグとを記憶する記憶手段と、ＲＦＩＤタグのＩＤ識別コード要求を指示する誰何（すいか）コマンドを受信したとき、該記憶手段を参照して動作制御フラグがＯＮであるか否かを確認し、該フラグがＯＮである場合には、自ＩＤを送信し、該フラグがＯＦＦである場合には該フラグがＯＦＦである旨を送信するアンテナとの交信制御を行うタグコントローラとを備え、
該タグコントローラが、外部から動作オン又は動作オフコマンドと暗証コードとを受信し、前記記憶手段を参照して受信した暗証コードと記憶手段に記憶した暗証コードとが一致したとき、前記記憶手段に記憶した動作制御フラグのオン又はオフを書き換えることを第１の特徴とする。
【０００８】
また本発明は、前記ＲＦＩＤタグにおいて、前記記憶手段に記憶した暗証コードを複数とし、該複数の暗証コードの桁数が異なることを第２の特徴とし、このＲＦＩＤタグにおいて、前記タグコントローラが、動作の状態確認を行うコマンドを受信したとき、前記記憶手段の動作制御フラグを参照し、動作オン又はオフの状態であることを外部に送信することを第３の特徴とする。
【０００９】
更に本発明は、所定の信号送受信距離範囲内で交信が可能且つ不揮発性の書き換え不能な暗証コードと書き換え可能な動作のオン又はオフを設定する動作制御フラグとを記憶する記憶手段を含むＲＦＩＤタグと、該ＲＦＩＤタグを制御する制御システムとを備えるＲＦＩＤタグシステムであって、
複数のＲＦＩＤタグの識別コードに対応した暗証コードを格納するデータベースを備え、前記制御システムが、前記ＲＦＩＤタグの識別コードをキーとしてデータベースを参照し、前記識別コードに対応した暗証コードを引き当て、前記識別コードと暗証コードを用いてＲＦＩＤタグの動作制御フラグを書き換えるコマンドを送信することを第４の特徴とする。
【００１０】
また本発明は、前記特徴のＲＦＩＤタグシステムにおいて、前記ＲＦＩＤタグが、動作制御フラグをオン状態に書き換えるコマンドを受信し、前記記憶手段に格納した識別ＩＤと暗証コードと過去に動作をオフに設定したＲＦＩＤタグの識別ＩＤと暗証コードとが一致するかを判定し、一致したとき前記動作制御フラグをオン状態に書き換えることを第５の特徴とし、このＲＦＩＤタグシステムにおいて、前記ＲＦＩＤタグが、動作制御フラグをオン状態に書き換えるオンコマンド及び暗証コードとを受信したとき、予め指定した時間が経過してから前記記憶手段に格納した識別ＩＤと暗証コードと過去に動作をオフに設定したＲＦＩＤタグの識別ＩＤと暗証コードとが一致するか否かを判定するオンコマンド処理を実行することを第６の特徴とする。
【発明の効果】
【００１１】
本発明によるＲＦＩＤタグ及びＲＦＩＤタグシステムは、該ＲＦＩＤタグのＩＤ及び暗証コードを用い、既に無効としたＲＦＩＤ機能を正当な権限者のみにより復活することができる。
【発明を実施するための最良の形態】
【００１２】
以下、本発明によるＲＦＩＤタグ及びＲＦＩＤタグシステムの一実施形態を図面を参照して詳細に説明する。
＜ＲＦＩＤタグの説明＞
【００１３】
本発明の一実施形態によるＲＦＩＤタグは、一般の外部のアンテナエレメントからの電波等に応じて自己の識別ＩＤを発信するものであり、特に本発明においては、前記機能をオン・オフする機能を付加するものであって、この実施形態を図面を参照して説明する。図１は本実施形態に係わるＲＦＩＤタグの内部構成図、図２は前記ＲＦＩＤタグの制御システムを説明する構成図、図３は本システムで使用するデータ群の構成を示す図、図４は本実施形態に係わる制御システムが、ＲＦＩＤタグの動作をオフにするシーケンスを示す図、図５は本ＲＦＩＤタグがリーダ／ライタ経由の交信要求に対して応答するシーケンス図、図６は本ＲＦＩＤタグが状態を質問するコマンドに対して回答するシーケンス図、図７は本発明に係わるＲＦＩＤタグがリーダ／ライタ経由の交信要求に対して応答するシーケンス図、図８は本ＲＦＩＤタグがその動作をオンにするシーケンス図、図９は本ＲＦＩＤタグがその動作をオンにするシーケンス図、図１０は個別ＩＤコード、個別暗証コード、カテゴリＩＤコード、カテゴリ暗証コードの関係を示す概念図、図１１は個別ＩＤコードの内部をメーカカテゴリ識別ＩＤコード、製品識別ＩＤコードとした例を説明した図、図１２はメーカカテゴリ暗証コードの内部を製品暗証コード、個別暗証コードとした例を説明した図、図１３は、上位の暗証コードを用いたオンコマンド処理のシーケンスを説明する図、図１４はＲＦＩＤタグの動作状況を確認する簡易手段が動作するシーケンスを説明する図、図１５はＲＦＩＤタグの動作状況を確認する簡易手段の実現例を説明する図である。
＜ＲＦＩＤタグ構成の説明＞
【００１４】
本実施形態に係わるＲＦＩＤタグの制御方式およびそのシステムの実施例を説明する。図１に示すＲＦＩＤタグ２１１は、タグ識別コード２１２と動作制御フラグ２１３と暗証コード２１４とタグコントローラ２１５とを内蔵し、タグコントローラ２１５の制御下で動作する様に構成され、図２に示す如く、リーダ／ライタ２２２を介して上位コンピュータ２２３と接続して各種データ交信を行うものである。尚、前記上位コンピュータ２２３は、ＲＦＩＤタグの利用形態によってはＰＯＳ等の店舗端末であっても良い。
【００１５】
この上位コンピュータ２２３は、図３に示す如く、個々のＲＦＩＤタグに付与されている複数の識別コード群２３１と、その個別の識別コードとリンクしたＲＦＩＤタグを添付された管理対象物の個別情報群２３２と、前記個別の識別コードとリンクした個別の暗証コード群３３３とにアクセスすることができる。これら情報は、上位コンピュータ２２３内に保管されていてもいいし、またはネットワークを経由してアクセスできるのであってもいい。
＜ＲＦＩＤタグのオフ動作の説明＞
【００１６】
この様に構成された本システムは、上位コンピュータ２２３からの指示によってＲＦＩＤタグの動作をオン・オフするものであり、まず制御システムが、ＲＦＩＤタグの動作をオフ（ＯＦＦ）にするシーケンスを図４に示す。本シーケンスは、図に示す如く、ＲＦＩＤタグ２１１がリーダ／ライタ２２２を経由し、オフ設定の対象とするＲＦＩＤタグを特定するための識別コード（またはＩＤコード）とオフ機能をＲＦＩＤタグが受け入れるための暗証コードが付与されたオフコマンドを受信（ステップＳＴ２４１）すると、タグコントローラ２１５が前記オフコマンドにより指示されたＩＤが自己のＩＤか否かの判定を行う（ステップＳＴ２４２）。
【００１７】
このステップＳＴ２４２において受信したＩＤコードが自己宛のオフコマンドであった場合、タグコントローラ２１５は、暗証コードを比較して暗証コードが一致するか否かの判定（ステップＳＴ２４３）を行い、一致した場合、前記動作制御フラグ２１３をオフにセットする（ステップＳＴ２４４）。
前記動作フラグ２１３は、単一の、書き換え可能なメモリであっても、または複数の一回だけ書き込み可能なメモリであってもよい。
複数の一回だけ書き込み可能なメモリの場合の動作は以下のように行う。ＲＦＩＤタグに第１から第４までのメモリがある場合に、一つも書き込まれていない場合は状態オン、第１のメモリに書き込まれていた場合は状態オフ、第２のメモリに書き込まれていた場合は状態オン……と定義する。これにより、書き換え可能なメモリではなくても、状態オンと状態オフを作り出せる。
【００１８】
このように本実施形態におけるオフコマンドの実行のためには、ＩＤコードと暗証コードの両方が一致する必要があり、無数に存在するＩＤコード毎に異なる暗証コードが設定され、データとしてＩＤコードとリンクされた暗証コードが図示しないデータベース等に保管される。これらの暗証コード及びＩＤコードは、管理対象物の納品と共に物流の上流である問屋やメーカーから送られることや、ＲＦＩＤタグの製造元のＲＦＩＤタグメーカが管理する情報センタに保管されることが考えられる。後者の場合には、オフ機能の実行ごとにネットワーク経由で暗証コードを取り寄せる。
【００１９】
本実施形態におけるＲＦＩＤタグのオフ動作は、例えば製品である管理対象物が正規に購入されたことを、レジに配されたＰＯＳシステムが検知したときが好適である。
＜ＲＦＩＤタグ確認の説明＞
【００２０】
次いで本実施形態によるＲＦＩＤタグのリーダ／ライタ経由の交信要求に対して応答するシーケンスを図５を参照して説明する。本実施形態によるＲＦＩＤタグ２１１は、まず、リーダ／ライタ２２２からのＩＤコードを問いかけるコマンドである誰何（すいか）コマンドを受信（ステップＳＴ２５１）したとき、タグコントローラ２１５が動作制御フラグ２１３を参照し、該動作制御フラグ２１３がオンであるか否かの判定（ステップＳＴ２５２）を行い、オンのとき、自分のＩＤコードを送出（ステップＳＴ２５３）し、処理を終了する（ステップＳＴ２５４）。
【００２１】
次いでリーダ／ライタ２２２は、図５に示したシーケンスにおいて返信が無い場合に、ＲＦＩＤタグ（またはシステム）が故障しているのか、ＲＦＩＤタグがそもそも貼付されていないのか、それとも動作制御フラグがオフになっているのかを区別できないため、図６に示すように、状態を質問する状態コマンドを用意し、リーダ／ライタ２２２から前記状態コマンドを受信（ステップＳＴ２６１）したとき、タグコントローラ２１５が動作制御フラグ２１３を参照して該フラグがオンであるか否かを判定（ステップＳＴ２６２）し、動作制御フラグがオンのときに"ＯＮ"状態である旨を返信し（ステップＳＴ２６３）、動作制御フラグがオフの場合"ＯＦＦ"状態である旨を返信（ステップＳＴ２６４）し、処理を終了する（ステップＳＴ２６５）。
【００２２】
即ちシステムは、図５で示したＩＤコードを問いかけるコマンドである誰何コマンドによってシステムに応答し、この応答がないとき、状態コマンドによってＲＦＩＤタグ（またはシステム）が故障／ＲＦＩＤタグがそもそも貼付されていない／動作制御フラグがオフになっているのかを区別するため、状態コマンドに応じて動作制御フラグ２１３がオンかオフかの問い合わせを行う様に動作する。
【００２３】
尚、前記実施形態においては、図５に示した誰何コマンドと状態コマンドの両者を用いる例を説明したが、本発明はこれに限られるものではなく、図７に示す如く、誰何コマンドを受信（ステップＳＴ２７１）したときに動作制御フラグ２１３がオンか否かを判定（ステップＳＴ２７２）し、オンのときに自己ＩＤを送信（ステップＳＴ２７３）し、オフのときに"ＯＦＦ"状態の返信（ステップＳＴ２７４）を行う様に構成しても良い。このシーケンスによれば、応答がないときはＲＦＩＤタグ等が故障又は貼付されていないと判定することができる。
【００２４】
また本実施形態による誰何コマンドを用いた場合の動作制御フラグのオフ動作は、ＩＤコードと暗証コードの両方の送出が必要なことから、オフコマンドと誰何コマンドがペアで実行され、図８にその上位コンピュータ２３側のシーケンスで示す。
【００２５】
このシーケンスは、上位が誰何コマンドを送出（ステップＳＴ２８２）し、対象とするＲＦＩＤタグのＩＤコードを受信（ステップＳＴ２８３）すると、次にそのＩＤコードに該当する暗証コードを検索（ステップＳＴ２８４）して暗証コードを入手し、その暗証コードとＩＤコードを送信（ステップＳＴ２８５）することにより、実行される。
＜オン動作の説明＞
【００２６】
さて、例えば一旦販売された商品が返品され、その返品商品の履歴を記録する必要が生じた場合／不具合が出た商品の履歴を調査する場合／盗難物の履歴を調査する等のやむを得ない事情で動作制御フラグ２１３を再びオン状態に戻す必要があり、この動作制御フラグをオンにする動作を次に説明する。
【００２７】
この動作は、まず図９に示す如く、ＲＦＩＤタグ２１１のタグコントローラ２１５がリーダ／ライタ２２２を介してオンコマンドを受信（ステップＳＴ２９１）したとき、該オンコマンドに含まれるＩＤコードが自己のＩＤか否かを判定（ステップＳＴ２９２）し、自己のＩＤと一致したとき暗証コードが自己と一致するか否かの判定（ステップＳＴ２９３）を行い、一致したときに動作制御フラグ２１３をオンに設定（ステップＳＴ２９４）し、前記ステップＳＴ２９３又は２９４においてＩＤや暗証コードと一致しないときには処理を終了する様に動作する。
＜ＩＤコード認識動作＞
【００２８】
前記動作制御フラグをオンとする場合には、オフ状態の対象ＲＦＩＤタグが誰何コマンドを実行しないために、ＩＤコードを知る方法が無いという問題が発生する。本発明では、この問題に対して、階層構造のＩＤコードと暗証コードを設けることにより対処する。
【００２９】
これを順を追って説明すると、まず、小売店の店頭等で、取り扱っている物流量が限られている状況を想定した場合、オフコマンドを設定したＲＦＩＤタグの個数も限られているので、小売店では、過去にオフコマンドを発行したＩＤコードとその暗証コードをしらみつぶしに送出する。または、対象の商品をキーに、過去にオフコマンドを発行したＩＤコードとその暗証コードから範囲を絞って送出する。これにより、時間はかかるものの、実用的な時間の範囲で動作制御フラグをオンにすることが出来る。
【００３０】
また、オフコマンドを実行した店舗が不明等の状況で、前記過去にオフコマンドを発行したＩＤコードとその暗証コードが入手できないような状況を想定した場合、全くの手がかりなしにデータをしらみつぶしに送っても、現実的な時間の範囲で動作制御フラグをオンにすることが出来ない。
【００３１】
このため本実施形態においては、管理対象のあるカテゴリ（例えば製品の種別またはメーカ自体）に対して一括に作用させるように構成した上位の暗証コード及びＩＤコードの組を用意し、この上位の暗証コード及びＩＤコードの組を使用することによって、個別の識別ＩＤが不明であっても、目的の管理対象物の動作制御フラグをオンにすることが出来る。
【００３２】
前記上位の暗証コード及びＩＤコードは、管理対象物の製造元またはＲＦＩＤタグの製造元だけが知る情報として厳重に保管され、セキュリティを向上させるために、暗証番号コードの桁数を、個別ＩＤコード用に比べて多くしておくことが望ましい。
【００３３】
例えば、図１０に示すごとく、個別ＩＤコード３１５に比べて桁数が短くなるカテゴリＩＤコード（例えば製品識別ＩＤコード３１３やメーカカテゴリ識別ＩＤコード３１１）に合わせて、カテゴリ暗証コード（例えば製品暗証コード３１４やメーカカテゴリ暗証コード３１２）の桁数を多くすることが望ましい。
【００３４】
更に本実施形態においては、ＲＦＩＤタグ上での識別コードや暗証コードが占めるメモリ領域を節約するため、一部を共用し、例えば図１１に示すごとく、個別ＩＤコード全体１０１の内の上位部分をメーカカテゴリ識別ＩＤ、さらに下位まで延長した部分を製品識別ＩＤ、その間の部分を製品識別ＩＤとすることが望ましい。同様に暗証コードについても、図１２に示すごとく、メーカカテゴリ暗証コード全体４３１の内の上位部分を製品暗証コードとし、さらにその上位を個別暗証コードとし、この間の部分を製品暗証コードとしても良い。
＜第三者の不正防止＞
【００３５】
また前記実施形態によれば不正な第三者が、しらみつぶしでの暗証コード解読を行うことが考えられる。このため本実施形態においては、図１３に示す如く、ＲＦＩＤタグ２１１のタグコントローラ２１５が、前記上位の暗証コードを用いたオンコマンド処理については、オンコマンドの処理時間を意図的に長くすることにより、しらみつぶしのコード解読が現実的な時間では不可能にしておくことが望ましい。このシーケンスは、図１３に示す如く、ＲＦＩＤタグのタグコントローラ２１５が、上位暗証コードを用いたオンコマンドを受信する（ステップＳＴ４２１）と、上位暗証コードに対応した経過時間のループを回り（ステップＳＴ４２２）、その後にオンコマンド処理（ステップＳＴ４２３）を行うことにより達成される。
＜動作制御フラグの設定の確認＞
【００３６】
また、実際のシステムおいては、動作制御フラグがオフであることを確認する簡便な手段を用意することが、本システムの信頼性を向上させるために有効である。このような確認手段は、図１４に示すシーケンスで動作し、起動するとまず、誰何コマンド等のＲＦＩＤが動作開始するコマンドを送信（ステップＳＴ４４１）し、次に該ステップＳＴ４４１のコマンドに対応して受信があるかを判定（ステップＳＴ４４２）し、この判定において、動作中を示す受信があれば、チェックすべきＲＦＩＤタグは動作中であるとして「動作中」を示す表示（ステップ１４３）し、前記ステップＳＴ４４１で正常に受信することができず、且つ動作中をあらわす受信が一定時間待っても受信できない場合（ステップＳＴ４４４）、ＲＦＩＤタグは非動作中として「タグ動作がオフ」であることを表す表示を行う。
【００３７】
この確認装置４５１は、例えば図１５に示す如く、携帯性を良くするためにカード状に構成し、電源となる太陽電池セル４５２と、ＲＦＩＤタグと交信するためのアンテナ４５３と、ＲＦＩＤタグが動作中であるか否かの確認を開始するための確認開始スイッチ４５４と、確認結果を表示する表示器１５５及び１５６と、図示しない制御回路とを備え、該制御回路が前記図１３に示したシーケンスに従って動作し、その結果に応じて表示器４５５又は４５６を点灯させる様に構成されている。
【００３８】
これら表示器４５５及び４５６は、ＲＦＩＤタグの動作確認を行うものであった場合、動作がＯＫ、すなわち動作オン状態ならば「ＯＫ」または正常を表す表示が点灯し、動作がＮＧ、すなわち動作オフ状態ならば「ＮＧ」または異常を表す表示が点灯する。一方、確認装置４５１が、ＲＦＩＤタグの停止によるプライバシー確保の確認を行うものであった場合、動作オン状態ならばプライバシー確保がなされていないことを示す「ＮＧ」または異常を表す表示が点灯し、動作オフ状態ならばプライバシー確保がなされていることを示す「ＯＫ」または正常を表す表示が点灯する。尚、図３５に示した確認装置４５１の形状は、他の形状でもあっても良い。
【００３９】
この様に本実施形態によるＲＦＩＤタグは、上位装置からの指令によって、動作制御フラグのオン・オフを行うことができ、これによって例えばタグを添付した商品が一般顧客に販売された際には機能をオフとし、その返品商品の履歴を記録する必要が生じた場合／不具合が出た商品の履歴を調査する場合／盗難物の履歴を調査する等のやむを得ない事情で動作制御フラグ２１３を再びオン状態に戻す必要が生じた場合に対応することができる。
【産業上の利用可能性】
【００４０】
本発明によるＲＦＩＤタグは、個人消費者向けの製品の、プライバシー保護に配慮した流通管理に用いる。個人消費者向けの製品が、小売店から個人消費者に渡る時点で、小売店の店頭に置いてＲＦＩＤタグの動作を停止させ、個人のプライバシー保護を確実に行うと同時に、ＲＦＩＤタグの再動作を可能とすることによって、製品事故や盗難時の調査に有効なデータを提供することができる。
【図面の簡単な説明】
【００４１】
【図１】本実施形態に係わるＲＦＩＤタグの内部構成図。
【図２】前記ＲＦＩＤタグの制御システムを説明する構成図。
【図３】本システムで使用するデータ群の構成を示す図。
【図４】制御システムがＲＦＩＤタグの動作をオフにするシーケンスを示す図。
【図５】リーダ／ライタ経由の交信要求に対して応答するシーケンス図。
【図６】本ＲＦＩＤタグが状態コマンドに対して回答するシーケンス図。
【図７】ＲＦＩＤタグがリーダ／ライタ経由の交信要求に対して応答するシーケンス図。
【図８】本ＲＦＩＤタグがその動作をオンにするシーケンス図。
【図９】本ＲＦＩＤタグがその動作をオンにするシーケンス図。
【図１０】個別ＩＤ／個別暗証／カテゴリＩＤ／カテゴリ暗証コードの関係を示す概念図。
【図１１】個別ＩＤコードの内部の例を説明する図。
【図１２】メーカカテゴリ暗証コードの内部の例を説明する図。
【図１３】上位の暗証コードを用いたオンコマンド処理のシーケンス図。
【図１４】ＲＦＩＤタグの動作状況を確認する動作シーケンスを説明する図。
【図１５】ＲＦＩＤタグの動作状況を確認する簡易手段の実現例を説明する図。
【符号の説明】
【００４２】
２１２：タグ識別コード、２１３：動作制御フラグ、２１４：暗証コード、２１５：タグコントローラ、２２２：リーダ／ライタユニット、３１２：メーカカテゴリ暗証コード、３１４：製品暗証コード、４３１：メーカカテゴリ暗証コード全体、４５１：確認装置、４５２：太陽電池セル、４５３：アンテナ、４５４：確認開始スイッチ、４５５：表示器。
【図１】
2008021321.tif 000003
【図２】
2008021321.tif 000004
【図３】
2008021321.tif 000005
【図４】
2008021321.tif 000006
【図５】
2008021321.tif 000007
【図６】
2008021321.tif 000008
【図７】
2008021321.tif 000009
【図８】
2008021321.tif 000010
【図９】
2008021321.tif 000011
【図１０】
2008021321.tif 000012
【図１１】
2008021321.tif 000013
【図１２】
2008021321.tif 000014
【図１３】
2008021321.tif 000015
【図１４】
2008021321.tif 000016
【図１５】
2008021321.tif 000017